(57)【要約】【課題】  記録された放送の受信状態をユーザに報知する。【解決手段】  放送録画再生装置は、接続された指向性を切換可能なスマートアンテナの指向性を所定方向に切換え（Ｓ１０４，１０５）、スマートアンテナから入力された複数のチャンネルのそれぞれに対応する放送信号のうち所定チャンネルに対応する放送信号を抽出し（Ｓ１０３）、スマートアンテナによる放送信号の受信状態を検出し（Ｓ１０６，１０７）、抽出された放送信号を信号処理し、信号処理された信号で示される受信放送情報を第１記録媒体に記録し（Ｓ１０８）、記録された受信放送情報と対応付けて、検出された受信状態を示す受信状態情報を第２記録媒体に記録し（Ｓ１０９）、記録された受信放送情報を第１記録媒体から読出し、記録された受信状態情報のうち、読出された受信放送情報に対応する受信状態情報を第２記録媒体から読出し、読出された受信放送情報および受信状態情報を出力する。【選択図】        図３
2006129059.tif 000002
【特許請求の範囲】
【請求項１】
接続された指向性を切換可能なスマートアンテナの指向性を所定の方向に切換える指向性切換手段と、
前記スマートアンテナから入力された複数のチャンネルのそれぞれに対応する放送信号のうちから所定のチャンネルに対応する放送信号を抽出する放送信号抽出手段と、
前記放送信号抽出手段によって抽出された放送信号の信号レベルを検出する信号レベル検出手段と、
前記指向性切換手段によって切換えられている所定の方向、および、前記信号レベル検出手段によって検出された信号レベルを、前記スマートアンテナによる前記放送信号の受信状態として検出する受信状態検出手段と、
前記放送信号抽出手段によって抽出された放送信号を信号処理する信号処理手段と、
前記信号処理手段によって信号処理された信号で示される受信放送情報を記録媒体に記録する受信放送情報記録手段と、
前記受信放送情報記録手段によって記録された受信放送情報と対応付けて、前記受信状態検出手段によって検出された受信状態を示す受信状態情報を前記記録媒体に記録する受信状態情報記録手段と、
前記受信放送情報記録手段によって記録された受信放送情報を前記記録媒体から読出す受信放送情報読出手段と、
前記受信状態情報記録手段によって記録された受信状態情報のうち、前記受信放送情報読出手段によって読出された受信放送情報に対応する受信状態情報を前記記録媒体から読出す受信状態情報読出手段と、
前記受信状態情報を出力するか否かの指示を受付ける指示受付手段と、
前記受信放送情報読出手段によって読出された受信放送情報、および、前記受信状態情報読出手段によって読出された受信状態情報を出力する出力手段と、
前記出力手段を制御して、前記指示受付手段によって受付けられた指示に基づいて、前記受信状態情報を出力する出力制御手段とを備える、放送録画再生装置。
【請求項２】
接続された指向性を切換可能な可変指向性アンテナの指向性を所定の方向に切換える指向性切換手段と、
前記可変指向性アンテナから入力された複数のチャンネルのそれぞれに対応する放送信号のうちから所定のチャンネルに対応する放送信号を抽出する放送信号抽出手段と、
前記可変指向性アンテナによる前記放送信号の受信状態を検出する受信状態検出手段と、
前記放送信号抽出手段によって抽出された放送信号を信号処理する信号処理手段と、
前記信号処理手段によって信号処理された信号で示される受信放送情報を第１の記録媒体に記録する受信放送情報記録手段と、
前記受信放送情報記録手段によって記録された受信放送情報と対応付けて、前記受信状態検出手段によって検出された受信状態を示す受信状態情報を第２の記録媒体に記録する受信状態情報記録手段と、
前記受信放送情報記録手段によって記録された受信放送情報を前記第１の記録媒体から読出す受信放送情報読出手段と、
前記受信状態情報記録手段によって記録された受信状態情報のうち、前記受信放送情報読出手段によって読出された受信放送情報に対応する受信状態情報を前記第２の記録媒体から読出す受信状態情報読出手段と、
前記受信放送情報読出手段によって読出された受信放送情報、および、前記受信状態情報読出手段によって読出された受信状態情報を出力する出力手段とを備える、放送録画再生装置。
【請求項３】
前記受信状態情報を出力するか否かの指示を受付ける指示受付手段と、
前記出力手段を制御して、前記指示受付手段によって受付けられた指示に基づいて、前記受信状態情報を出力する出力制御手段とをさらに備える、請求項２に記載の放送録画再生装置。
【請求項４】
前記受信状態検出手段は、前記指向性切換手段によって切換えられている所定の方向を前記受信状態として検出する、請求項２または請求項３に記載の放送録画再生装置。
【請求項５】
前記放送信号抽出手段によって抽出された放送信号の信号レベルを検出する信号レベル検出手段をさらに備え、
前記受信状態検出手段は、前記信号レベル検出手段によって検出された信号レベルを前記受信状態として検出する、請求項２または請求項３に記載の放送録画再生装置。
【請求項６】
請求項２から請求項５のいずれかに記載の放送録画再生装置と、前記出力手段から出力された受信放送情報および受信状態情報を表示する表示装置とを備えた、放送録画再生表示装置。
【発明の詳細な説明】
【技術分野】
【０００１】
本発明は、放送録画再生装置、および、放送録画再生表示装置に関し、特に、可変指向性アンテナと接続される放送録画再生装置、および、放送録画再生表示装置に関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。八木アンテナは、反射器、放射器および導波器で構成されており、反射器の働きにより導波器側へ強い指向性を有し、利得も大きいといった長所がある。
【０００３】
良好な受信ができるように、八木アンテナは、その指向性が放送局の方向と一致するように設定される。一般的に、アンテナは家屋の屋根等に固定して設置されるので、一旦設置されてしまうと、その指向性を変更することは容易ではない。そのため、複数の放送局が分散して存在している場合には、その指向性に応じた特定の方向にある放送局の放送信号しか受信できなかった。
【０００４】
そこで、指向性を複数種類に切換えて、分散して存在する各放送局からの電波を受信できる可変指向性アンテナが考案されている。可変指向性アンテナには、たとえば、スマートアンテナがある。このスマートアンテナは、複数のアンテナ素子で構成され、各アンテナ素子を適当な振幅および位相により励振することで指向性を切換えることができる。
【０００５】
したがって、上述のスマートアンテナを用いることで、放送局が分散して存在している場合でも各放送局からの電波が受信可能となる。
【０００６】
このような可変指向性アンテナでは、少しでも電波状態の良い方向から電波を受信するために、定期的に、チャンネルサーチを行ない各チャンネルごとの可変指向性アンテナの指向性を自動的に設定するオートディレクションスキャンが実行される。
【０００７】
また、特許文献１には、回転式アンテナで衛星放送等を受信するタイマー受信予約機能内蔵の衛星放送受信機が開示されている。この衛星放送受信機は、前回受信時の方位角を記憶部に記憶しておき、予約された次の受信開始時刻に間に合うようにアンテナを回動させるために必要な時間を算出し、受信開始時刻の算出された時間前からアンテナを回動させる。
【特許文献１】特開平７−１６２７７４号公報
【発明の開示】
【発明が解決しようとする課題】
【０００８】
しかし、オートディレクションスキャンによって受信方向が設定された場合であっても、気象的な条件や電波状況や周辺環境の変化などの影響によって必ずしも、その受信方向が常に放送の受信に最適であるとは限らない。
【０００９】
また、ユーザが予約録画された放送を視聴したときに、録画された放送の質が悪くても、その原因を特定しようがなかった。
【００１０】
特許文献１に開示されている技術では、前回受信時の方位角は記憶しているが、次に受信する放送の開始時刻に間に合うようにアンテナを回動させるために必要な時間の算出に用いられるのみである。
【００１１】
この発明は上述の問題点を解決するためになされたもので、この発明の目的の１つは、記録された放送の受信状態をユーザに報知することが可能な放送録画再生装置、および、放送録画再生表示装置を提供することである。
【課題を解決するための手段】
【００１２】
上述した課題を解決するために、この発明のある局面に従えば、放送録画再生装置は、指向性切換部と、放送信号抽出部と、受信状態検出部と、信号処理部と、受信放送情報記録部と、受信状態情報記録部と、受信放送情報読出部と、受信状態情報読出部と、出力部とを備える。
【００１３】
指向性切換部は、接続された指向性を切換可能な可変指向性アンテナの指向性を所定の方向に切換える。放送信号抽出部は、可変指向性アンテナから入力された複数のチャンネルのそれぞれに対応する放送信号のうちから所定のチャンネルに対応する放送信号を抽出する。
【００１４】
受信状態検出部は、可変指向性アンテナによる放送信号の受信状態を検出する。信号処理部は、放送信号抽出部によって抽出された放送信号を信号処理する。
【００１５】
受信放送情報記録部は、信号処理部によって信号処理された信号で示される受信放送情報を第１の記録媒体に記録する。受信状態情報記録部は、受信放送情報記録部によって記録された受信放送情報と対応付けて、受信状態検出部によって検出された受信状態を示す受信状態情報を第２の記録媒体に記録する。
【００１６】
受信放送情報読出部は、受信放送情報記録部によって記録された受信放送情報を第１の記録媒体から読出す。受信状態情報読出部は、受信状態情報記録部によって記録された受信状態情報のうち、受信放送情報読出部によって読出された受信放送情報に対応する受信状態情報を第２の記録媒体から読出す。出力部は、受信放送情報読出部によって読出された受信放送情報、および、受信状態情報読出部によって読出された受信状態情報を出力する。
【００１７】
好ましくは、放送録画再生装置は、受信状態情報を出力するか否かの指示を受付ける指示受付部と、出力部を制御して、指示受付部によって受付けられた指示に基づいて、受信状態情報を出力する出力制御部とをさらに備える。
【００１８】
好ましくは、受信状態検出部は、指向性切換部によって切換えられている所定の方向を受信状態として検出する。
【００１９】
好ましくは、放送録画再生装置は、放送信号抽出部によって抽出された放送信号の信号レベルを検出する信号レベル検出部をさらに備える。そして、受信状態検出部は、信号レベル検出部によって検出された信号レベルを受信状態として検出する。
【００２０】
好ましくは、放送録画再生表示装置は、放送録画再生装置と、出力部から出力された受信放送情報および受信状態情報を表示する表示装置とを備える。
【発明の効果】
【００２１】
この発明に従えば、放送録画再生装置によって、接続された指向性を切換可能な可変指向性アンテナの指向性が所定の方向に切換えられ、可変指向性アンテナから入力された複数のチャンネルのそれぞれに対応する放送信号のうちから所定のチャンネルに対応する放送信号が抽出される。
【００２２】
また、可変指向性アンテナによる放送信号の受信状態が検出され、抽出された放送信号が信号処理され、信号処理された信号で示される受信放送情報が第１の記録媒体に記録され、記録された受信放送情報と対応付けられて、検出された受信状態を示す受信状態情報が第２の記録媒体に記録される。
【００２３】
さらに、記録された受信放送情報が第１の記録媒体から読出され、記録された受信状態情報のうち、読出された受信放送情報に対応する受信状態情報が第２の記録媒体から読出され、読出された受信放送情報および受信状態情報が出力される。
【００２４】
このため、放送録画再生装置によって、記録媒体に記録された放送が出力されるときに、放送が記録されたときの受信状態が出力される。その結果、記録された放送の受信状態をユーザに報知することが可能な放送録画再生装置、および、放送録画再生装置と表示装置とを備えた放送録画再生表示装置を提供することができる。
【発明を実施するための最良の形態】
【００２５】
この発明の実施の形態について、図面を参照しながら詳細に説明する。なお、図中の同一または相当部分については、同一符号を付してその説明は繰返さない。
【００２６】
また、この発明の実施の形態においては、放送信号を受信するアンテナとしてスマートアンテナを用いることとする。しかし、これに限定されず、指向性を切換えることが可能な可変指向性アンテナであれば、他のアンテナを用いることができる。
【００２７】
［第１実施形態］
図１は、この発明の第１実施形態に従う放送録画再生装置１の概略構成図である。
【００２８】
図１を参照して、この発明の第１実施形態に従う放送録画再生装置１は、スマートアンテナ３０から放送信号を受信し、スマートアンテナ３０に対して受信方向切換信号を出力する。また、放送録画再生装置１は、モニタ４０に対して映像信号および音声信号を出力する。さらに、放送録画再生装置１は、リモコン４２から指令信号を受信する。
【００２９】
スマートアンテナ３０は、放送録画再生装置１から受信方向切換信号を受けて、各アンテナ素子に対する励振を変化させて指向性を切換える。
【００３０】
モニタ４０およびリモコン４２は、周知であるので詳細な説明は省略する。
【００３１】
放送録画再生装置１は、制御部１０と、チューナ１６と、デジタル復調器１８と、アナログ復調器２０と、ＯＳＤ（On Screen Display）回路２１と、ＭＰＥＧ（Moving Picture Experts Group）デコーダ２２と、映像合成部２３と、受信方向切換部２４と、リモコン受信部２６と、録画部７０とからなる。
【００３２】
制御部１０は、プログラムを実行するＣＰＵ（Central Processing Unit）１０ａと、
実行されるプログラム、プログラム実行中のデータ、およびプログラム実行結果のデータを記憶するメモリ１０ｂとからなる。
【００３３】
チューナ１６は、受信した放送信号の中から、制御部１０からの指令に応じて選択されたチャンネルに対応する放送信号を抽出する。そして、抽出された放送信号がデジタルテレビ放送信号である場合は、チューナ１６は、デジタル復調器１８に放送信号を出力する。一方、抽出された放送信号がアナログテレビ放送信号である場合は、チューナ１６は、アナログ復調器２０へ放送信号を出力する。
【００３４】
デジタル復調器１８は、チューナ１６から放送信号を受けて、映像および音声の信号であるＭＰＥＧ信号に復調し、そのＭＰＥＧ信号をＭＰＥＧデコーダ２２へ出力する。
【００３５】
ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行うので、受信開始から１フレーム（１／３０秒）以内で受信データ誤り率の演算ができる。制御部１０は、受信データ誤り率によって、放送信号の信号レベルを判断することができる。
【００３６】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の第１実施形態におけるデジタル復調器１８は、上述のいずれの方式を用いてもよい。
【００３７】
アナログ復調器２０は、チューナ１６から放送信号を受けて、映像信号および音声信号へ復調する。そして、アナログ復調器２０は、復調された音声信号を外部および録画部７０へ出力する。また、アナログ復調器２０は、復調された映像信号を映像合成部２３および録画部７０へ出力する。さらに、アナログ復調器２０は、水平同期信号の捕捉の可否を制御部１０へ出力する。
【００３８】
ここで、アナログテレビ放送信号には、走査線の水平走査および垂直走査を制御するために、水平同期信号および垂直同期信号が含まれている。アナログ復調器２０が映像信号の復調を行うために、上述の水平同期信号および垂直同期信号を捕捉する必要がある。
【００３９】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００４０】
また、アナログ復調器２０は、ＡＧＣ（Auto Gain Control）回路を含む。ＡＧＣ回路は、アナログテレビ放送の放送信号の強弱による映像のコントラストの変化を軽減するために、フィードバック制御によりチューナ１６からの放送信号を一定のレベルに保つ回路である。
【００４１】
ＡＧＣ回路から出力される放送信号の電圧レベルが低い場合は、水平同期信号を捕捉できない。このため、ＡＧＣ回路によって放送信号が増幅される。制御部１０は、水平同期信号を捕捉できたときのＡＧＣ回路による放送信号の増幅率によって、放送信号の信号レベルを判断することができる。
【００４２】
水平同期信号を捕捉するにあたり、アナログ復調器２０は、受信した放送信号に対して、雑音除去処理、周波数分離処理、同期信号分離処理および整形増幅処理等を行なう。それゆえ、受信開始から水平同期信号の捕捉までには、上述のデジタル復調器１８における受信データ誤り率の演算に比較して、多くの時間を要する。
【００４３】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００４４】
したがって、この発明の第１実施形態におけるアナログ復調器２０は、上述のいずれの方式を用いてもよい。
【００４５】
ＯＳＤ回路２１は、制御部１０からの指令に応じて、モニタ４０の画面上に情報を表示するためのＯＳＤ信号を生成して、映像合成部２３へ出力する。この実施の形態においては、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００４６】
ＭＰＥＧデコーダ２２は、デジタル復調器１８から受けた信号を映像信号および音声信号に復号する。そして、ＭＰＥＧデコーダ２２は、復号された音声信号を外部および録画部７０へ出力する。また、ＭＰＥＧデコーダ２２は、復号された映像信号を映像合成部２３および録画部７０へ出力する。
【００４７】
映像合成部２３は、アナログ復調器２０またはＭＰＥＧデコーダ２２から受けた映像信号で示される映像に、ＯＳＤ回路２１から受けたＯＳＤ信号で示される映像を重畳させる。そして、映像合成部２３は、重畳された映像を示す映像信号を外部へ出力する。
【００４８】
受信方向切換部２４は、制御部１０からの指令に応じて、受信方向切換信号をスマートアンテナ３０へ出力する。
【００４９】
リモコン受信部２６は、リモコン４２からの指令を受信して制御部１０へ出力する。ユーザは、所望の動作を行わせるためリモコン４２を用いて、指令を送信する。
【００５０】
録画部７０は、制御部１０からの指令に応じて、アナログ復調器２０またはＭＰＥＧデコーダ２２から受けたアナログ信号をＭＰＥＧデータに変換して記録媒体７１に記録する。また、録画部７０は、制御部１０からの指令に応じて、記録媒体７１に記録された信号を再生して、映像信号および音声信号に変換して、映像信号および音声信号を外部へ出力する。ＯＳＤ回路２１からＯＳＤ信号を受けた場合は、録画部７０は、ＯＳＤ信号で示される映像を映像信号で示される映像に重畳させて、重畳された映像を示す映像信号を外部へ出力する。
【００５１】
なお、本実施形態においては、記録媒体７１は、ＤＶＤ（Digital Versatile Disk）であることとする。しかし、これに限定されず、記録媒体７１は、ＤＶＤ以外の光ディスク、ビデオテープなどの磁気テープ、または、ハードディスクなどの磁気ディスクなど、アナログ信号またはデジタル信号を記録可能なものであれば、どのようなものであってもよい。
【００５２】
また、本実施形態においては、ＭＰＥＧデコーダ２２がアナログ信号に変換したものを再度、録画部７０がＭＰＥＧデータに変換するようにした。しかし、デジタル復調器１８がＭＰＥＧデータを録画部７０へ直接出力して、録画部７０がそのＭＰＥＧデータを記録するようにしてもよい。
【００５３】
第１実施形態では、スマートアンテナ３０は、指向性を切換えることにより水平面に対して１６分割された各方向に受信方向を変更できるとして説明する。
【００５４】
図２は、この発明の第１実施形態に従うスマートアンテナ３０の受信方向切換図である。本実施形態においては、図２に示すように時計回り（正の回転方向）に１，２，・・・，１６と各受信方向に番号付けを行なう。
【００５５】
図３は、この発明の第１実施形態に従う予約録画処理の流れを示すフローチャートである。
【００５６】
図３を参照して、まず、制御部１０は、現在の時刻が予約録画の開始時間であるか否かを判断する（ステップＳ１０１）。現在の時刻が予約開始時間である場合（ステップＳ１０１においてＹＥＳの場合）、制御部１０は、予約されているチャンネルなどを含む予約情報をメモリ１０ｂから読出す（ステップＳ１０２）。そして、制御部１０は、チューナ１６を制御して、受信するチャンネルを予約情報で示されるチャンネルに切換える（ステップＳ１０３）。
【００５７】
次に、制御部１０は、予約されているチャンネルに応じた受信方向をメモリ１０ｂから読出す（ステップＳ１０４）。ここで、予約情報に受信方向を示す情報が含まれている場合は、予約情報から受信方向を読出し、予約情報に受信方向を示す情報が含まれていない場合は、オートディレクションスキャンによって設定された受信方向を読出す。
【００５８】
オートディレクションスキャンとは、チャンネルごとに受信に適した受信方向を自動的に検出することである。本実施形態においては、電波の受信状況の日々の変化に対応するために、オートディレクションスキャンを１日に１回行なうこととする。
【００５９】
なお、オートディレクションスキャンを実行する周期は、１日ごとに限定されず、たとえば、１週間ごと、１ヶ月ごとなど予め定められた他の周期であってもよい。また、ユーザからの指示によって、オートディレクションスキャンを実行するようにしてもよい。
【００６０】
次いで、制御部１０は、受信方向切換部２４を制御して、スマートアンテナ３０の指向性を読出した受信方向に切換える（ステップＳ１０５）。そして、制御部１０は、実際に制御した受信方向を示す方向情報を取得する（ステップＳ１０６）。また、制御部１０は、デジタル復調器１８またはアナログ復調器２０から受けた信号レベルを示す信号レベル情報を取得する（ステップＳ１０７）。
【００６１】
次に、制御部１０は、録画部７０を制御して、受信した放送信号が変換されたＭＰＥＧデータの記録媒体７１への記録を開始する（ステップＳ１０８）。そして、制御部１０は、録画部７０を制御して、受信した放送信号が変換されたＭＰＥＧデータに対応付けて、ステップＳ１０６およびステップＳ１０７でそれぞれ取得した方向情報および信号レベル情報を記録媒体７１に記録する（ステップＳ１０９）。
【００６２】
現在の時刻が予約開始時間でない場合（ステップＳ１０１においてＮＯの場合）、または、ステップＳ１０９の後、制御部１０は、録画部７０を監視して、録画中であるか否かを判断する（ステップＳ１１１）。録画中であると判断した場合（ステップＳ１１１においてＹＥＳの場合）、制御部１０は、前回、方向情報および信号レベル情報を記録してから所定時間経過したか否かを判断する。所定時間は、たとえば、1０分である。時間の経過の計測には、制御部１０のタイマ機能が用いられる。
【００６３】
前回、情報を記録してから所定時間経過した場合（ステップＳ１１２においてＹＥＳの場合）、制御部１０は、実際に制御した受信方向を示す方向情報を取得する（ステップＳ１１３）。さらに、制御部１０は、デジタル復調器１８またはアナログ復調器２０から受けた信号レベルを示す信号レベル情報を取得する（ステップＳ１１４）。
【００６４】
そして、制御部１０は、録画部７０を制御して、受信した放送信号が変換されたＭＰＥＧデータに対応付けて、ステップＳ１０６およびステップＳ１０７でそれぞれ取得した方向情報および信号レベル情報を記録媒体７１に記録する（ステップＳ１１５）。
【００６５】
録画中でないと判断した場合（ステップＳ１１１においてＮＯの場合）、前回、方向情報および信号レベル情報を記録してから所定時間経過していない場合（ステップＳ１１２においてＮＯの場合）、または、ステップＳ１１５の後、制御部１０は、現在の時刻が予約録画の終了時間であるか否かを判断する（ステップＳ１１６）。
【００６６】
予約終了時間である場合（ステップＳ１１６においてＹＥＳの場合）、制御部１０は、録画部７０を制御して、受信した放送信号が変換されたＭＰＥＧデータの記録媒体７１への記録を終了する（ステップＳ１１７）。
【００６７】
予約終了時間でない場合（ステップＳ１１６においてＮＯの場合）、または、ステップＳ１１７の後、制御部１０は、この予約録画処理を終了して、実行する処理を呼出元の処理に戻す。
【００６８】
このように、予約録画処理が制御部１０によって実行されることにより、予約開始時間となったときに、スマートアンテナ３０の指向性が所定方向に制御され、予約されたチャンネルの放送が記録媒体７１に記録される。また、録画中に、所定時間ごとに、録画している放送に対応付けられて、方向情報および信号レベル情報が記録される。そして、予約終了時間となったときに、放送の記録が終了される。
【００６９】
図４は、この発明の第１実施形態に従う再生処理の流れを示すフローチャートである。
【００７０】
図４を参照して、まず、制御部１０は、リモコン受信部２６がリモコン４２から「再生」キーの入力を受付けたか否かを判断する。「再生」キーは、ユーザが記録媒体７１の再生を指示するためのリモコン４２のキーである。「再生」キーの入力を受付けた場合（ステップＳ１２１においてＹＥＳの場合）、制御部１０は、記録媒体７１が録画部７０にセットされているか否かを判断する。
【００７１】
記録媒体７１がセットされている場合（ステップＳ１２２においてＹＥＳの場合）、制御部１０は、録画部７０を制御して、記録媒体７１から、方向情報および信号レベル情報をメモリ１０ｂに読出す（ステップＳ１２３）。そして、制御部１０は、録画部７０を制御して、記録媒体７１に記録されたＭＰＥＧデータが復号された放送信号の再生を開始する（ステップＳ１２４）。
【００７２】
「再生」キーの入力を受付けていない場合（ステップＳ１２１においてＮＯの場合）、記録媒体７１がセットされていない場合（ステップＳ１２２においてＮＯの場合）、または、ステップＳ１２４の後、制御部１０は、リモコン受信部２６がリモコン４２から「表示」キーの入力を受付けたか否かを判断する（ステップＳ１２５）。「表示」キーは、ユーザがＯＳＤ表示を指示するためのリモコン４２のキーである。
【００７３】
「表示」キーの入力を受付けた場合（ステップＳ１２５においてＹＥＳの場合）、制御部１０は、録画部７０を監視して、記録媒体７１が再生中であるか否かを判断する（ステップＳ１２６）。
【００７４】
記録媒体７１が再生中である場合（ステップＳ１２６においてＹＥＳの場合）、制御部１０は、ステップＳ１２３でメモリ１０ｂに読出された方向情報および信号レベル情報のうち、再生中のＭＰＥＧデータが復号された放送信号と対応する方向情報および信号レベル情報をメモリ１０ｂから読出す（ステップＳ１２７）。
【００７５】
そして、制御部１０は、ＯＳＤ回路２１および録画部７０を制御して、読出した方向情報および信号レベル情報を含むＯＳＤ信号を生成し、ＯＳＤ信号で示される映像を再生中の放送信号のうちの映像信号に重畳させて、外部へ出力する（ステップＳ１２８）。
【００７６】
図５は、この発明の第１実施形態に従うＯＳＤ表示の一例を示す図である。
【００７７】
図５を参照して、この映像は、録画部７０から外部のモニタ４０に出力されて、モニタ４０で表示された映像である。この映像で示されるように、再生中の映像である樹木の映像に、ＯＳＤ信号で示されるＯＳＤ表示である選択方向表示が重畳されてモニタ４０で表示される。
【００７８】
選択方向表示は、再生中の映像が録画されたときの方向情報および信号レベル情報を示す。方向情報は、選択方向表示の矢印の向きで示される。ここでは、矢印が図２で説明した受信方向の１番を指しているので、選択方向表示は、スマートアンテナ３０の指向性が１番目の受信方向で放送が録画されたことを示す。
【００７９】
また、信号レベル情報は、選択方向表示の矢印の色で示される。ここでは、矢印の色は、青、黄、赤の３色のいずれかである。つまり、選択方向表示は、信号レベルを３段階に分けて表示する。矢印の色が青の場合は、放送を受信可能な信号レベルの最大値と最小値との間の範囲を３等分した範囲のうち、信号レベルが最も高い範囲の値である場合である。
【００８０】
また、矢印の色が赤の場合は、前述の３等分した範囲のうち、信号レベルが最も低い範囲の値、または、放送を受信不可能な値である場合である。矢印の色が黄の場合は、信号レベルが前述の矢印の色が青の場合と赤の場合との間の範囲の値である場合である。
【００８１】
なお、方向情報や信号レベル情報は、図形で示されることに限定されず、数字や文字で示されるようにしてもよい。
【００８２】
図４に戻って、「表示」キーの入力を受付けていない場合（ステップＳ１２５においてＮＯの場合）、再生中でない場合（ステップＳ１２６においてＮＯの場合）、または、ステップＳ１２８の後、制御部１０は、リモコン受信部２６がリモコン４２から「停止」キーの入力を受付けたか否かを判断する（ステップＳ１３１）。「停止」キーは、ユーザが記録媒体７１の再生や録画の停止を指示するためのリモコン４２のキーである。
【００８３】
「停止」キーの入力を受付けた場合（ステップＳ１３１においてＹＥＳの場合）、制御部１０は、録画部７０を制御して、記録媒体７１の再生を停止させる（ステップＳ１３２）。
【００８４】
「停止」キーの入力を受付けていない場合（ステップＳ１３１においてＮＯの場合）、または、ステップＳ１３２の後、制御部１０は、リモコン受信部２６がリモコン４２から「取出」キーの入力を受付けたか否かを判断する（ステップＳ１３３）。「取出」キーは、ユーザが録画部７０からの記録媒体７１の取出しを指示するためのリモコン４２のキーである。
【００８５】
「取出」キーの入力を受付けた場合（ステップＳ１３３においてＹＥＳの場合）、制御部１０は、録画部７０を制御して、記録媒体７１を録画部７０から取出す（ステップＳ１３４）。そして、制御部１０は、方向情報および信号レベル情報をメモリ１０ｂから削除する（ステップＳ１３５）。
【００８６】
「取出」キーの入力を受付けていない場合（ステップＳ１３３においてＮＯの場合）、または、ステップＳ１３５の後、制御部１０は、この再生処理を終了して、実行する処理を呼出元の処理に戻す。
【００８７】
このように、再生処理が制御部１０によって実行されることにより、方向情報および信号レベル情報が記録媒体７１からメモリ１０ｂに読出され、記録媒体７１に記録された放送信号が再生される。そして、再生中にユーザからＯＳＤ表示の指示が受付けられた場合は、メモリ１０ｂに記憶された方向情報および信号レベル情報がＯＳＤ表示として外部に出力される。また、記録媒体７１が取出された場合は、メモリ１０ｂに記憶された方向情報および信号レベル情報がメモリ１０ｂから削除される。
【００８８】
以上説明したように、第１実施形態における放送録画再生装置１は、チューナ１６、デジタル復調器１８、アナログ復調器２０、ＯＳＤ回路２１、ＭＰＥＧデコーダ２２、受信方向切換部２４、リモコン受信部２６、および、制御部１０を備える。
【００８９】
制御部１０は、ステップＳ１０４およびステップＳ１０５の処理を実行することによって、受信方向切換部２４を制御して、接続された指向性を切換可能なスマートアンテナ３０の指向性を所定の方向に切換える。制御部１０は、ステップＳ１０３の処理を実行することによって、チューナ１６を制御して、スマートアンテナ３０から入力された複数のチャンネルのそれぞれに対応する放送信号のうちから所定のチャンネルに対応する放送信号を抽出する。
【００９０】
制御部１０は、ステップＳ１０６、ステップＳ１０７、ステップＳ１１３、および、ステップＳ１１４の処理を実行することによって、デジタル復調器１８、アナログ復調器２０、または、受信方向切換部２４から受けた信号に基づいて、スマートアンテナ３０による放送信号の受信状態を検出する。デジタル復調器１８、アナログ復調器２０、および、ＭＰＥＧデコーダ２２は、チューナ１６によって抽出された放送信号を信号処理する。
【００９１】
制御部１０は、ステップＳ１０８の処理を実行することによって、録画部７０を制御して、信号処理された信号で示される受信放送情報を記録媒体７１に記録する。また、録画部７０は、ステップＳ１０９、および、ステップＳ１１５の処理を実行することによって、録画部７０を制御して、制御部１０により検出された受信状態を示す受信状態情報を記録媒体７１に記録する。
【００９２】
制御部１０は、ステップＳ１２４の処理を実行することによって、録画部７０を制御して、録画部７０によって記録された受信放送情報を記録媒体７１から読出す。また、制御部１０は、ステップＳ１２３およびステップＳ１２７の処理を実行することによって、録画部７０を制御して、録画部７０によって記録された受信状態情報のうち、ステップＳ１２４で読出された受信放送情報に対応する受信状態情報を記録媒体７１から読出す。
【００９３】
録画部７０は、記録媒体７１から読出した受信放送情報および受信状態情報を外部のモニタ４０に出力する。
【００９４】
これによって、放送録画再生装置１によって、接続された指向性を切換可能なスマートアンテナ３０の指向性が所定の方向に切換えられ、スマートアンテナ３０から入力された複数のチャンネルのそれぞれに対応する放送信号のうちから所定のチャンネルに対応する放送信号が抽出される。
【００９５】
また、スマートアンテナ３０による放送信号の受信状態が検出され、抽出された放送信号が信号処理され、信号処理された信号で示される受信放送情報が記録媒体７１に記録され、記録された受信放送情報と対応付けられて、検出された受信状態を示す受信状態情報が記録媒体７１に記録される。
【００９６】
さらに、記録された受信放送情報が記録媒体７１から読出され、記録された受信状態情報のうち、読出された受信放送情報に対応する受信状態情報が記録媒体７１から読出され、読出された受信放送情報および受信状態情報が外部のモニタ４０に出力される。
【００９７】
このため、放送録画再生装置１によって、記録媒体７１に記録された放送が出力されるときに、放送が記録されたときの受信状態が出力される。その結果、放送録画再生装置１によって、記録された放送の受信状態をユーザに報知することができる。
【００９８】
また、制御部１０は、ステップＳ１２５の処理を実行することによって、リモコン受信部２６を介して、受信状態情報を出力するか否かのユーザの指示をリモコン４２から受付ける。制御部１０は、ステップＳ１２７およびステップＳ１２８の処理を実行することによって、リモコン４２から受付けられた指示に基づいて、録画部７０を制御して、受信状態情報をＯＳＤ表示として出力する。
【００９９】
これによって、ユーザからの指示があるときに、受信状態情報が出力される。その結果、必要なときだけ受信状態情報を表示させることができる。
【０１００】
また、制御部１０は、ステップＳ１０６およびステップＳ１１３の処理を実行することによって、受信方向切換部２４から受けた信号に基づいて、受信方向切換部２４によって切換えられている所定の方向を受信状態として検出する。
【０１０１】
これによって、放送録画再生装置１によって、記録媒体７１に記録された放送が出力されるときに、放送が記録されたときのスマートアンテナ３０が指向されていた方向が出力される。その結果、放送が記録されたときのスマートアンテナ３０が指向されていた方向をユーザに報知することができる。
【０１０２】
また、制御部１０は、ステップＳ１０７およびステップＳ１１４の処理を実行することによって、デジタル復調器１８またはアナログ復調器２０から受けた信号に基づいて、チューナ１６によって抽出された放送信号の信号レベルを検出する。そして、制御部１０は、ステップＳ１０７およびステップＳ１１４の処理を実行することによって、検出された信号レベルを受信状態として検出する。
【０１０３】
これによって、放送録画再生装置１によって、記録媒体７１に記録された放送が出力されるときに、放送が記録されたときの放送信号の信号レベルが出力される。その結果、放送が記録されたときの放送信号の信号レベルをユーザに報知することができる。
【０１０４】
［第２実施形態］
図６は、この発明の第２実施形態に従う放送録画再生表示装置１００の概略構成図である。
【０１０５】
図６を参照して、放送録画再生表示装置１００は、第１実施形態において説明した放送録画再生装置１に加えて、モニタ４００を備える。このため、第２実施形態においては、第１実施形態と共通の部分について説明を繰返さない。
【０１０６】
モニタ４００は、録画部７０または映像合成部２３から受けた映像信号で示される映像を表示する。また、モニタ４００は、録画部７０、ＭＰＥＧデコーダ２２、または、アナログ復調器２０から受けた音声信号で示される音声を出力する。
【０１０７】
このように、第２実施形態の放送録画再生表示装置１００は、第１実施形態の放送録画再生装置１と、録画部７０から出力された受信放送情報および受信状態情報を表示するモニタ４００とを備える。
【０１０８】
このため、放送録画再生表示装置１００によって、記録媒体７１に記録された放送が出力されるときに、放送が記録されたときの受信状態が出力される。その結果、放送録画再生表示装置１００によって、記録された放送の受信状態をユーザに報知することができる。
【０１０９】
なお、前述した第１実施形態および第２実施形態においては、受信放送情報および受信状態情報を記録する記録媒体を同じ記録媒体７１としたが、これに限定されず、異なる記録媒体であってもよい。
【０１１０】
たとえば、受信放送情報は、ＤＶＤ、ビデオテープなどの放送録画再生装置１および放送録画再生表示装置１００に固定されていない記録媒体に記録し、受信状態情報は、内部メモリ、ハードディスクなどの放送録画再生装置１および放送録画再生表示装置１００に固定された記録媒体に記録するようにしてもよい。
【０１１１】
また、前述した第１実施形態および第２実施形態においては、予約録画で受信放送情報および受信状態情報が記録されるようにしたが、これに限定されず、ユーザが録画キーを操作することによって録画が開始され、受信放送情報および受信状態情報が記録されるようにしてもよい。
【０１１２】
また、前述した第１実施形態および第２実施形態においては、予め定められた基準で信号レベルを３段階に分けてＯＳＤ表示するようにした。しかし、これに限定されず、信号レベルの基準をユーザが設定できるようにして、ユーザが定めた基準で信号レベルを複数段階に分けてＯＳＤ表示するようにしてもよい。
【０１１３】
放送の受信状態の判断基準は人によって異なる。これによって、ユーザに応じた多様な判断基準で信号レベルをＯＳＤ表示することができる。
【０１１４】
また、前述した第１実施形態および第２実施形態では、放送録画再生装置１および放送録画再生表示装置１００は、それぞれ、スマートアンテナ３０から受けた放送信号をアナログの映像信号および音声信号に信号処理して外部に出力するようにした。
【０１１５】
しかし、これに限定されず、スマートアンテナ３０から受けた放送信号を信号処理して外部に出力するものであれば、他のものであってもよい。たとえば、スマートアンテナ３０から受けた放送信号をデジタルの映像信号および音声信号に信号処理して外部に出力するものであってもよい。
【０１１６】
また、前述した第１実施形態においては、放送録画再生装置１は、放送を受信する放送受信部と、放送を録画再生する録画部７０とを含むように構成した。第２実施形態においては、放送録画再生表示装置１は、放送を受信する放送受信部と、放送を録画再生する録画部７０と、放送を表示するモニタ４００とを含むように構成した。
【０１１７】
しかし、これに限定されず、放送受信部と、録画部とを別体としてもよい。放送受信部および録画部は、ＩＥＥＥ１３９４（Institute of Electrical and Electronic Engineers 1394）規格のケーブルなどで接続されるようにする。そして、放送受信部は、映像信号、音声信号の受信放送情報、および、受信方向情報および信号レベル情報などの受信状態情報を録画部に出力し、録画部は、受信放送情報と、受信状態情報とを分けて記録媒体に記録するようにする。
【０１１８】
これによっても、第１実施形態および第２実施形態と同様の作用効果を奏する。
【０１１９】
また、前述した第１実施形態および第２実施形態では、可変指向性アンテナとして、電気的に指向性を調整するものを示したが、例えばアンテナの方位角をモータによって変更するような機械的に指向性を調整することができる構成を使用できる。
【０１２０】
また、前述した第１実施形態および第２実施形態においては、それぞれ、放送録画再生装置１および放送録画再生表示装置１００について説明した。しかし、図３、および、図４で説明した処理を放送録画再生装置１、または、放送録画再生表示装置１００で実行する制御方法として発明を捉えることができる。
【０１２１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１２２】
【図１】この発明の第１実施形態に従う放送録画再生装置の概略構成図である。
【図２】この発明の第１実施形態に従うスマートアンテナの受信方向切換図である。
【図３】この発明の第１実施形態に従う予約録画処理の流れを示すフローチャートである。
【図４】この発明の第１実施形態に従う再生処理の流れを示すフローチャートである。
【図５】この発明の第１実施形態に従うＯＳＤ表示の一例を示す図である。
【図６】この発明の第２実施形態に従う放送録画再生表示装置の概略構成図である。
【符号の説明】
【０１２３】
１  放送録画再生装置、１０  制御部、１０ａ  ＣＰＵ、１０ｂ  メモリ、１６  チューナ、１８  デジタル復調器、２０  アナログ復調器、２１  ＯＳＤ回路、２２  ＭＰＥＧデコーダ、２３  映像合成部、２４  受信方向切換部、２６  リモコン受信部、３０  スマートアンテナ、４０  モニタ、４２  リモコン、７０  録画部、７１  記録媒体、１００  放送録画再生表示装置、４００  モニタ。
【図１】
2006129059.tif 000003
【図２】
2006129059.tif 000004
【図３】
2006129059.tif 000005
【図４】
2006129059.tif 000006
【図５】
2006129059.tif 000007
【図６】
2006129059.tif 000008